(57)【特許請求の範囲】
【請求項１】
揮発性物質の分出装置において、
ａ．気密関係にて燃料タンクを受入れるタンク接続手段と、燃焼ノズルと、燃料タンクから燃焼ノズルまで燃料を計算してノズルで火炎を燃焼させる手段とを有するガス燃料の携帯熱源；
ｂ．揮発性物質を加熱するための加熱表面を有する単独プレート；
ｃ．前記燃焼ノズルを包封する筒状の燃焼室に前記単独プレートが一体になるように熱伝性材料で構成し、前記燃焼ノズルで燃焼する火炎の熱を前記単独プレートまで移動させる熱移動手段；
ｄ．前記熱移動手段および単独プレートを実質的に包囲し、熱輻射に耐えうる材料で作成されると共に単独プレートから放出される揮発物質を逸散させうる窓を有する熱ボックス；および
ｅ．前記熱ボックスを離間関係に保って収納する内部室を規定する内部表面を有すると共に熱ボックス窓に隣接したハウジング窓を備えるハウジング
を含み、火炎を燃焼ノズルに維持して単独プレートを加熱することにより加熱表面に置かれた揮発性物質を気化させ、次いで前記気化物質を熱ボックス窓を介して大気中へ逸散させると共に、ハウジングを火炎、熱移動手段および単独プレートに比べ低温に保ちうることを特徴とする揮発性物質の分出装置。
【請求項２】
請求項１において、消耗タンクを取出すと共に充満タンクを交換することにより装置を再燃料供給しうるよう燃料タンクが交換自在であることを特徴とする揮発性物質の分出装置。
【請求項３】
請求項１において、揮発性物質が昆虫抑制活性成分、空気処理物質およびその組合せよりなる群から選択されることを特徴とする揮発性物質の分出装置。
【請求項４】
請求項１において、熱ボックスが熱ボックス窓より低い位置に少なくとも１個の熱ボックス排気部を備えると共にハウジングが熱ボックス排気部のレベルより高くない位置にハウジング排気部を備え、熱ボックス排気部と直線アクセスしないようにハウジング排気部を偏らせ、火炎が燃焼ノズルで着火された際に対流を発生させて熱ボックス窓からの気化物質の逸散を促進することを特徴とする揮発性物質の分出装置。
【請求項５】
請求項１において、熱移動手段が伝熱性材料で作成されると共に燃焼ノズルとこの燃焼ノズルで燃焼する火炎とを実質的に包封する燃焼室を備え、燃焼室が伝熱関係にて単独プレートに接続されると共にａ．伝熱室壁部と、ｂ．伝熱室壁部を貫通して延びる少なくとも１個の圧力解除ポートと、ｃ．燃焼室からの火炎の逸散を防止するが圧力解除ポートを介する空気の実質的に妨げられない通過を可能にする火炎アレスタとを有することを特徴とする揮発性物質の分出装置。
【請求項６】
請求項１において、熱ボックス窓が、単独プレートの加熱表面より上方にて熱に耐えうるよう充分離間するが加熱表面から出る気化物質がグリル上で凝縮しないよう充分加熱される程度近接した空気伝達グリルで閉鎖されることを特徴とする揮発性物質の分出装置。
【請求項７】
請求項６において、分出すべき揮発性物質を支持する実質的に平面状の揮発性キャリヤと共に使用するための、グリルの側部に位置すると共に一般に単独プレートの加熱表面に対し平行かつ少なくとも同じレベルに位置する少なくとも１個のアクセススロットを備え、このアクセススロットは揮発性キャリヤを挿入もしくは取出しうる寸法を有することを特徴とする揮発性物質の分出装置。
【請求項８】
請求項７において、アクセススロットが充分狭くかつ充分な深さを有すると共に、単独プレートが使用者の手による単独プレートとの直接的接触を制限するようアクセススロットに対し配置したことを特徴とする揮発性物質の分出装置。
【請求項９】
請求項５において、
ａ．単独プレートに対しほぼ中心の位置にて熱移動手段の燃焼室から単独プレートまで熱を移動させ、火炎が燃焼ノズルにて燃焼している際に単独プレートの加熱表面にわたり熱勾配を発生させると共に、最高加熱表面温度が一般に中心に位置し、
ｂ．熱ボックス窓を加熱表面より上で上方に湾曲した空気伝達グリルより閉鎖すると共に、グリルから加熱表面までの間隔が最大となる位置を、加熱表面における最高温度の中心個所の上方にし、グリルの部分を熱に耐えうるよう加熱表面から充分離間させるが加熱表面から出る揮発性物質がグリル上で凝縮しないよう充分加熱される程度接近させることを特徴とする揮発性物質の分出装置。
【請求項１０】
請求項９において、分出すべき揮発性物質を支持する実質的に平面状の揮発性キャリヤと共に使用するための、グリルの側部に位置すると共に一般に単独プレートの加熱表面に対し平行かつ少なくとも同レベルに位置する少なくとも１個のアクセススロットを備え、このアクセススロットは揮発性キャリヤを挿入もしくは取出しうるような寸法を有することを特徴とする揮発性物質の分出装置。
【請求項１１】
請求項９において、アクセススロットが充分狭くかつ充分な深さを有すると共に、単独プレートを使用者の手による単独プレートとの直接的接触を制限するようアクセススロットに対し位置せしめたことを特徴とする揮発性物質の分出装置。
【請求項１２】
請求項１において、単独プレートの加熱表面に位置せしめた揮発性物質をさらに含むことを特徴とする揮発性物質の分出装置。
【請求項１３】
請求項１２において、揮発性物質が加熱表面上に交換自在な関係にて位置するキャリヤに支持され、これにより装置の揮発性物質をキャリヤの交換により更新しうることを特徴とする揮発性物質の分出装置。
【請求項１４】
請求項１３において、キャリヤが厚紙、連続気孔セルロース材料、任意適する繊維の織布および不織布パッドもしくはフェルト、ゲル、吸収性固体多孔質フォーム、並びに揮発性物質を放出自在に受入れうるプラスチックもしくはセラミック材料よりなる群から選択される物質で作成されたことを特徴とする揮発性物質の分出装置。
【請求項１５】
請求項１２において、揮発性物質が昆虫抑制活性成分であることを特徴とする揮発性物質の分出装置。
【請求項１６】
請求項１において、単独プレートの温度を約１２５〜２００℃の温度範囲内に維持しうることを特徴とする揮発性物質の分出装置。
【請求項１７】
揮発性物質の分出方法において、気化性物質を大気中へ分出するに際し：ａ．火炎を燃焼ノズルにて燃焼させるのに適したガス燃料の携帯熱源を設け；
ｂ．揮発させるべき物質を加熱するための加熱表面を有する単独プレートを設け；
ｃ．前記燃焼ノズルを包封する筒状の燃焼室に前記単独プレートが一体になるように熱伝性材料で構成し、前記燃焼ノズルで燃焼する火炎の熱を前記単独プレートまで移動させる熱移動手段を設け；
ｄ．筒状の燃焼室と単独プレートとを実質的に包囲すると共に、熱輻射に耐えうる材料で作成されかつ単独プレートからの揮発性物質が熱ボックスから逸散しうる窓を有する熱ボックスを設け、
火炎を燃焼ノズルに維持して単独プレートを加熱すると共に加熱表面上に位置する揮発性物質を気化させ、次いでこれを熱ボックス窓を介し大気中へ分出するよう逸散させうることを特徴とする揮発性物質の分出方法。
【請求項１８】
請求項１７において、熱ボックスをハウジングに対し離間関係に保持する内部室を規定する内部表面を備えたハウジングを設ける工程をさらに含み、ハウジングは熱ボックス窓に隣接位置するハウジング窓を備え、これによりハウジングを火炎と熱移動手段と単独プレートとの温度に比べ低温に保ちうることを特徴とする揮発性物質の分出方法。
【請求項１９】
請求項１７において、揮発性物質を単独プレートの加熱表面に加える工程をさらに含み、揮発性物質を昆虫抑制活性成分、空気処理物質およびその組合せ物よりなる群から選択することを特徴とする揮発性物質の分出方法。
【請求項２０】
請求項１７において、熱移動手段が伝熱材料で作成されると共に燃焼ノズルおよび燃焼ノズルにて燃焼する火炎を実質的に包封する燃焼室を備え、燃焼室を伝熱関係にて単独プレートに接続し、燃焼室が伝熱室壁部と伝熱室壁部を貫通して延びる少なくとも１個の圧力解除ポートと燃焼室からの火炎の逸散を防止しながら同時に圧力解除ポートを介する空気の実質的に妨げられない通過を可能にする火炎アレスタとを備えることを特徴とする揮発性物質の分出方法。
【請求項２１】
請求項１７において、加熱表面により保持すると共にこれにより加熱するのに適する実質的に平面状の揮発性キャリヤに支持される分出すべき揮発性物質を供給する工程をさらに含むことを特徴とする揮発性物質の分出方法。
【請求項２２】
請求項１７において、熱ボックス窓を、単独プレートの加熱表面の上方にて熱に耐えうるよう充分離間させるが加熱表面から出る揮発性物質がグリル上で凝縮しないよう充分加熱される程度に近接離間させた空気伝達グリルにより閉鎖することを特徴とする揮発性物質の分出方法。
【請求項２３】
請求項２２において、グリルの側部に位置すると共に一般に単独プレートの加熱表面に対し平行かつ少なくとも同レベルに位置する少なくとも１個のアクセススロットを設ける工程をさらに含み、アクセススロットは揮発性キャリヤをアクセススロットを介し加熱表面上へまたはそこから取出しうる寸法を有することを特徴とする揮発性物質の分出方法。
【請求項２４】
請求項１７において、単独プレートの温度を約１２５〜２００℃の範囲に維持しうることを特徴とする揮発性物質の分出方法。
【請求項２５】
揮発性物質の分出装置において、
ハウジングと、
前記ハウジング内に支持しかつブタンガスの供給源および流動する前記ブタンガスの量に関連した温度を有する加熱手段を設けた携帯加熱器具と、
前記加熱手段を包囲する熱交換器と、
前記揮発性物質を含有しかつ前記熱交換器に近接した小部屋に支持されるパッドとを備え、
前記熱交換器は加熱手段を包囲する筒状の燃焼室を有すると共に加熱手段で燃焼する火炎の熱をこの燃焼室に一体に設けた単独プレートまで移動させ、この単独プレート上の前記パッドを加熱するもので、
前記熱交換器は前記ブタンガスの流動によって発生するガスと空気との混合物を供給し、対流は前記パッドの周囲を通過して加熱し、パッド内の揮発性物質を発散させ、
前記ハウジングは、前記加熱手段と熱交換器の温度に対して低温であることを特徴とする揮発性物質の分出装置。
【請求項２６】
請求項２５において、前記加熱手段が点火器と燃焼チューブとを備え、前記ブタンガスが前記燃焼チューブまで流動して火炎を前記加熱手段として形成することを特徴とする揮発性物質の分出装置。
【請求項２７】
請求項２５において、前記加熱手段がブタンガスの流量を制御する調整器を備えることを特徴とする揮発性物質の分出装置。
【請求項２８】
請求項２７において、前記調整器が使用者により調整自在であって、前記加熱手段の熱を調整することを特徴とする揮発性物質の分出装置。
【請求項２９】
請求項２６において、前記加熱手段が調整器を備えてブタンガスの流量を制御することを特徴とする揮発性物質の分出装置。
【請求項３０】
請求項２９において、前記調整器が使用者により調整自在であって、前記加熱手段の熱を調整することを特徴とする揮発性物質の分出装置。
【請求項３１】
請求項２５において、火炎を観察しうる観察窓を備えることを特徴とする揮発性物質の分出装置。
【発明の詳細な説明】
【技術分野】
本発明は一般に揮発性の活性物質を分出する装置に関するものである。より詳細には、本発明は揮発性物質を空気中へ分出（dispense）するため熱を用いるガス燃料携帯装置に関するものである。
【背景技術】
当業界は、揮発性物質を空気中へ分出するための各種の携帯装置を生産している。この種の揮発性物質は最も一般的には昆虫抑制活性成分または空気処理物質（例えばエアフレッシュナー）である。これら携帯装置の多くは電池駆動ファンを用いて、熱の使用なしに揮発性物質を蒸発させる。
活性成分または他の揮発性物質を蒸発もしくは気化させるべく熱を用いる装置も当業界で周知されている。しかしながら、これら装置の多くは加熱器を付勢するのに必要とされる電力のための電流などを収容する手段を必要とする。その結果、これら装置はこれらを装着せねばならない電気容器からの電力コードの長さのため携帯可能でない。
火炎が揮発性物質を分出させるための他の一般的な熱源である。たとえばポットプーリ・ケトルの下部における各種の着香キャンドルおよび着火芯が空気清浄もしくは空気着香のための伝統的装置である。シトロネラ・キャンドルは昆虫抑制に用いられる同じ技術の例である。同様に、蚊取線香は昆虫抑制活性成分を装置の周囲の領域に気化または分配させるべく燃焼熱を用いる。蚊取線香は、自己支持性であるか或いは基盤上に印刷されるパンクもしくは他の徐燃性物質の構造である。パンクは１端部で着火されて、たとえば香のように徐々に燃焼し、その煙りと共に分配され或いは昆虫抑制成分を気化により分配する。
他の装置は最も一般的にはアルコールのような液体燃料を燃焼して、昆虫抑制活性成分を気化させる熱を発生する。「スキーター・イーター」という名称でラ・ライナ・エンタープライシス・オブ・ファルマウス、マサチューセッツ州により販売される装置は含浸パッドから昆虫駆除剤を蒸発させ、これにはパッドをアルコールで燃焼される熱金属触媒メッシュで加熱する。しばしば金属触媒メッシュの代わりに単にアルコール火炎を用いる同様な製品がヨーロッパおよび日本にて他の会社により販売されている。スキーター・イーター装置の昆虫駆除パッドは扁平かつ矩形である。この装置はグリッドによりブリッジされた平面床を有する。使用者は駆除剤パッドをグリッドの１側部の開口部から床上へ滑らせて、床の反対側における対応開口部からこれを取出しうる。液体燃料装置は一般に使用者が装置を使用する前に燃料を注入することを必要とし、その結果として可燃性液体を飛散させる危険を伴う。この種の飛散は、特にマッチまたは他の火炎で着火される装置の場合、火災および大災害の両者をもたらす。
これら装置および方法は単なる例として示されるように当業界で存在するが、電気容器に装着する必要性により制限されず、寧ろ、所望箇所の場所で使用するよう全体的に携帯としうる装置を安全かつ容易に使用することがまだ当業界は必要とする。さらに当業界は、装置がこの領域で可燃性物質を着火するような無防御もしくは接近しうる火炎を必要とせず、さらに調整自在、清潔、無臭かつ電気器具に関連する信頼性にて作動するような活性成分を気化させるための燃焼加熱装置につきまだニーズが存在する。
【発明の開示】
揮発性物質を分出するための本発明による装置は気密関係にて燃料タンクを受入れるタンク接続手段と、燃焼ノズルと、燃料を燃料タンクから燃焼ノズルまで計量してノズルで火炎を燃焼する手段とを有するガス燃料の携帯熱源を備える。この装置は、揮発性物質を加熱する加熱表面を持った単独プレートと燃焼ノズルを包封すると共に熱を火炎から単独プレートまで移動させる熱移動手段とをさらに備える。熱ボックスは熱移動手段および単独プレートを実質的に包囲する。熱ボックスは熱輻射に耐えうる材料で作成されると共に、単独プレートから放出される揮発性物質が熱ボックスから逸散しうるような窓を有する。この装置は、熱ボックスをハウジングから離間関係にて保持する内部室を規定する内部表面を持ったハウジングをも有する。このハウジングは、熱ボックス窓に隣接するハウジング窓を備える。この装置の使用により、火炎が燃焼ノズルに維持されて単独プレートを加熱することにより加熱表面に置かれた揮発性物質を気化させることができ、気化した物質は次いで熱ボックス窓を介し大気中へ逸散しうると共にハウジングは火炎と熱移動手段と単独プレートとの温度に比べ低温に保持される。
揮発性物質を大気中へ分出するための本発明による方法は、火炎を燃焼ノズルにて燃焼させるのに適したガス燃料の携帯熱源を設け；気化させるべき物質を加熱する加熱表面を持った単独プレートを設け；熱を燃焼ノズルの火炎から単独プレートまで移動させる熱移動手段を設け；さらに熱移動手段と単独プレートとを実質的に包囲する熱ボックスを設ける各工程を含み；熱ボックスを熱輻射に耐えうる材料で作成すると共に単独プレートからの揮発性物質が熱ボックスから逸散しうるような窓を備える。本発明の方法により、火炎が燃焼ノズルに維持されて単独プレートを加熱すると共に加熱表面に置かれた揮発性物質を気化させ、次いでこれを熱ボックス窓を介し大気中へ分出させるよう逸散させることができる。
【図面の簡単な説明】
第１図は、揮発性物質を分出する本発明の装置の右側における下端部および上方からの斜視図であり、第２図は、第１図による装置の右側における上端部および上方からの斜視図であり、第３図は、第１図による装置の３−３線断面図であり、第４図は、単独プレートとその燃焼室とを組合せた第１図による装置の熱交換器の端面図である。
【発明を実施するための最良の形態】
次に同じ部材を同じ参照符号で示す図面を参照して、揮発性物質を分出するための本発明による装置の好適実施例を第１〜３図にて符号１０で示す。装置１０はガス燃料の携帯熱源を用いる。熱源は、気密関係にて燃料タンクを収容するタンク接続手段を備える。さらに熱源は燃焼ノズルをも備え、この箇所にてガスを燃焼させ、さらに燃料を燃料タンクから燃焼ノズルまで計量する手段を備えてノズルにて火炎を燃焼させる。ガス燃料携帯熱源のための好適メカニズムは１９６７年１０月１３日付け発行のポータブル・ヒーティング・アプライアンスと題する米国特許第４，６６９，１２３号におけるものと実質的に同一である。米国特許第４，６６９，１２３号を参考のためここに引用し、これは米国特許第４，７５９，３４３号および第４，８１５，４４１号と同様である。これら米国特許は２種のバーナーシステムを記載しているが、本発明は単独のバーナーシステムを備える。他の全ての点において、燃料システム調整器の操作、ガス流動、点火および操作は実質的に同一である。
したがって第３図に示した携帯熱源の好適実施例は、燃料タンク弁１４を有する燃料タンク１２を用いる。タンク接続手段１６は、燃料タンク１２における対応ネジ部に螺着して燃料タンクを所定位置に保持するのに適する。螺着係合のためのバイオネット、スナップおよび他の代案は当業者に明かであり、本発明の範囲および思想の範囲内である。タンク接続手段１６が燃料タンク１２に係合すると、弁作動器１８は燃料タンク弁１４を押圧してガスを燃料タンク内から装置１０中へ放出させる。圧力調整器１９はガスの流量を調整すると共に、慣用手段により流量を調整するよう調整自在とすることができる。
熱源はさらに燃焼ノズル２０をも備える。燃料を燃料タンク１２から燃焼ノズル２０まで計量するための手段が米国特許第４，６６９，１２３号の開示にしたがって設けられる。燃料タンク１２からのガスはガスオリフィス２４を介して放出され、ベンチュリー２６に指向して、ここで加速される。空気をベンチュリー２６に流入する際にガスと混合し、空気はベンチュリーの直ぐ上流に位置する空気入口２８を介して流入する。空気とガスとの混合物は、ノズルスクリーン２８により覆われた燃焼ノズル２０から流出する。圧電式点火装置３０はガスと空気との混合物を着火させる火花を発生して、火炎をノズルスクリーン２８に限定しながら燃焼ノズル２０にて燃焼する。
上記の好適携帯熱源は、便利かつ確実な燃料であるブタンの使用を可能にする。さらに燃料タンク１２は、これをタンク接続手段１６からネジ戻して便利に取外すことができ、新たなタンクを取付けて装置に再燃料供給することを可能にする。しかしながら、本発明はこの特定のガス燃料携帯熱源に限定されない。寧ろ、代案メカニズムおよび配置も当業者には明かであるように可能である。たとえば例示の目的で再充填可能もしくは１回の使用の燃料タンクを包含するこの種の代案および燃料を計量するための代案手段なども本発明の思想および範囲内である。
揮発性物質を分出するための本発明による装置１０はさらに、揮発性物質を加熱するための加熱表面３３を有する単独プレート３２をも備える。これら構造を第３図および第４図に示す。単独プレート３２は、燃焼ノズル２０における火炎の寸法を調節することによりおよび下記する他の手段により広範囲の温度に維持することができる。単独プレート３２につき有用な温度範囲は約５０℃程度の低い温度（たとえば或る種の空気処理物質につき有用）から約２８０℃程度の高い温度（たとえば或る種の発泡剤を燻蒸器に導入するのに有用）に至る範囲である。或る種の昆虫抑制活性成分を気化させるのに有用な好適温度範囲は約１２５〜２００℃である。事実、この温度範囲は各種の入手しうる昆虫抑制活性成分および空気処理活性成分につき実用的かつ有用である。より高い温度は制御がより困難となる。より低い温度は、実用的となるのに充分な量にて活性成分を気化させえない。
単独プレート３２およびその加熱表面３３は鋭い湾曲、不規則または有角の各形状を含め任意便利な寸法もしくは形状とすることができる。しかしながら、加熱表面３３および単独プレート３２自身は実質的に平面状であることが現在好適であり、この用語は緩和に湾曲する表面および構造、並びに縁取りもしくは組織化された表面などを包含すると了解すべきである。
本発明は、燃焼ノズル２０を包封すると共に熱をこのノズルで燃焼する火炎から単独プレート３２まで移動させる熱移動手段を備え、熱移動手段と単独プレートとは組合せてここでは装置の熱交換器と称する。好適実施例において、熱移動手段は伝熱性材料で作成され、燃焼室３４を備える。燃焼室３４は燃焼ノズル２０を実質的に包封する。燃焼室３４は任意便利な形状を有しうるが、好適実施例において燃焼室は一般に円筒状であって、その長手軸線は一般に燃焼ノズル２０からのガス流の方向に対し平行に延びる。
燃焼室３４は伝熱関係にて単独プレート３２に接続される。好適実施例において、燃焼室は伝熱室壁部３６を備える。少なくとも１個の圧力解除ポート３８が室壁部３６を貫通して延び、これにより燃焼ノズル２０から流出するガスと空気との混合物が燃焼室中へ導入されて蓄積するような圧力を解除する手段を与える。火炎アレスタは、火炎が燃焼室３４から逸散するのを防止する。任意慣用の火炎拘束手段を用いることができる。しかしながら、火炎アレスタの好適形態はたとえば第３図に符号４０で示したようなスクリーンである。スクリーン４０は、圧力解除ポート３８を介する空気の実質的に妨げられない通過を可能にする。しかしながら、装置１０を爆発性雰囲気中に搬送すべき場合、スクリーン４０は燃焼を炭鉱夫のランプのように燃焼室３４内に限定するのに適し、したがって火炎が燃焼室から逸散するのを防止する。
燃焼室３４の壁部３６は外方向に延びるラジエータ（図示せず）を備えることができ、或いは過剰の熱を逸散させるべく当業者に明かな他の手段を備えることもできる。この種のラジエータ並びに単独プレート３２の寸法、形状および配置は過剰の熱を排気し、逸らせ或いは逸散させる各種の他の手段と共に全て単独プレート３２の加熱表面３３の温度を調整すべく使用することができる。
本発明の装置１０においては、熱ボックス３２が熱交換器を実質的に包囲する。熱ボックス４２は熱交換器から輻射される熱に耐えうる材料で作成される。したがって第３図の好適実施例に示されるように、熱ボックス４２は燃焼室３４および単独プレート３２を包封する。
熱ボックス４２は外方向に開口する窓４４を備える。熱ボックス窓４４の側部または他の配向も可能であるが、好ましくは熱ボックス窓は単独プレート３２の加熱表面３３より上方に位置する。加熱表面３３で加熱される揮発性物質は窓を介し大気中へ逸散することができる。
本発明の装置１０はさらにハウジング４６をも備える。第３図に最もよく見られるように、ハウジング４６は内部に熱ボックス４２を保持する内部室４８を規定する内部表面を備える。熱ボックス４２はハウジング４６から離間関係にて内部室４８内に保持される。その結果、空隙部５０が存在して、熱ボックス４２をハウジング４６の内部表面から実質的に分離する。ハウジング４６はハウジング窓４２を備え、この窓は熱ボックス窓４４に隣接すると共に好ましくはその上方で開口して熱ボックス窓をハウジングにより妨げられないようにする。
好ましくは熱ボックス４２は熱ボックス窓４４よりも下方の位置に少なくとも１個の熱ボックス排気部５４を備え、さらにハウジング４６は好ましくは熱ボックス排気部５４のレベルより高くない位置にハウジング排気部５６を備える。第１〜３図に示した好適実施例において、熱ボックスおよびハウジング排気部５４および５６は熱ボックス４２の下側に位置する。熱ボックスおよびハウジング排気部５４、５６の手段により、火炎が燃焼ノズル２０で点火されると対流が生じて、熱ボックス窓４４からの揮発性物質の逸散を促進する。好ましくはハウジング排気部５６を熱ボックス排気部５４から偏らせ或いは故意に誤整列させて、排気部を介し熱交換器に至る直線的アクセスを制限する。この配置が第３図に明かに見られる。
好ましくは白熱線５３を燃焼室３４内に、燃焼ノズル２０の火炎により白熱温度まで加熱されるような箇所に位置せしめる。白熱線５３を第３図に示す。着火装置３０は白熱線を備えると共に、ハウジング４６は観察窓５５を備え、熱ボックス４２は観察ポート５７を備え、観察窓とポートとは本発明による装置１０の使用者がそれを介し着火装置３０の白熱状態を観察しうるように位置せしめる。この手段により、使用者は火炎が燃焼ノズル２０にて燃焼しているかどうか肉眼検査により容易に判定することができる。
熱ボックス窓４４は好適実施例にて符号５８で示したような第１図および第２図から最も容易に理解される空気伝達グリルで閉鎖するのが好適である。グリル５８は単独プレート３２の加熱表面３３の上方にて、そこからの熱に耐えうるよう充分に離間される。しかしながらグリル５８が加熱表面３３の上方で離間し過ぎれば、グリルは加熱表面から出る揮発性物質がグリルの下側で凝縮するよう充分低温を保ちうる。その結果、グリル５８と加熱表面３３との間の間隔、すなわち実験的に決定せねばならない間隔を慎重に調整することが重要である。好ましくはグリル５８は、リブが加熱表面３３と接触させる方向にグリルの下に位置する揮発性キャリヤ（下記する）を押圧するような選択間隔にて加熱表面３３の方向に延びる少なくとも１個のリブ５９を備える。このリブ５９を第３図に示す。
好適実施例において、燃焼室３４は燃焼室のほぼ全長にわたり延びる伝熱リブ６０により単独プレート３２の下側に接続された中空シリンダであり、この伝熱リブを第４図に端面図で示す。この配置は燃焼室３４から単独プレート３２への効率的伝熱を可能にすると共に、燃焼室と単独プレートと伝熱リブ６０とをアルミニウム、他の適する金属もしくは合金、伝熱性セラミックなどから一体的に押出しにより形成することを可能にする。伝熱リブ６０を図示した実施例におけるように単独プレート３２の中心線に取付ければ、燃焼室３４から伝熱された熱はこの箇所にて単独プレートに導入される。
この配置により、火炎が燃焼ノズル２０で燃焼している際に単独プレート３２の加熱表面３３にわたり熱勾配が発生すると共に、最高単独プレート温度が一般に加熱表面の中心に位置する。このような場合、熱ボックス窓４４を閉鎖するグリル５８を加熱表面３３の上部で上方向に湾曲させると共に、グリルから加熱表面への最大間隔を加熱表面における最高温度の中心箇所より上方にすることが望ましい。この配置により図面に示したように、関与する異なる温度にも係わらず、グリル５８の各部分は熱に耐えるのに充分な距離にて加熱表面３３の上方で離間されるが、加熱表面から出る揮発性物質がグリル上で凝縮しないよう充分加熱される程度の近さを保ちうる。
好適実施例において本発明の装置は、分出すべき揮発性物質を搬送する揮発性キャリヤ（図示せず）と共に使用することを意図する。このキャリヤは、上部に置かれた単独プレート３２の加熱表面３３と密接位置するような形状とする。加熱表面３３の好適形状に対応し、現在好適なキャリヤの形状は実質的に平面状である。この点に関し「実質的に平面状」という用語は、硬質もしくは軟質マット、シートまたは揮発性物質を受入れると共にこれを加熱された際に放出しうるような任意適する物質で作成された対応形状を包含すると広義に理解すべきである。キャリヤの他の代案例はゲルなどとすることもでき、いずれも単独で自立し或いは耐熱性トレー内に保持するのに充分な物理的一体性を有する。キャリヤは扁平、波型、ひだ付、または揮発性物質を保持する便利さ、剛性もしくは能力につき形成することができる。しかしながら全体的に見て、この種のキャリヤが扁平な支持表面上に置かれた際にほぼ扁平な全体的外観を示す限り、これらは「実質的に平面状」であると理解すべきである。この種のキャリヤにつき望ましい材料は厚紙、連続気孔セルロース材料、任意適する繊維の織布および不織布パッド、ゲル、吸収性固体多孔質フォーム、並びに揮発性物質を放出自在に受入れうるプラスチックもしくはセラミック材料を包含する。本発明の装置１０は、第１図および第２図に最もよく見られるように少なくとも１個のアクセススロット６２を備える。このアクセススロット６２はグリル５８の側部に位置すると共に、一般に単独プレート３２の加熱表面３３に対し平行かつ少なくとも同レベルまたは若干高い位置に存在し、好ましくは前記側部の加熱表面のほぼ全寸法長さで延在する。いずれにせよアクセススロット６２は、上記種類の揮発性キャリヤが加熱表面３３上へ挿入され或いはアクセススロットを介しそこから取出しうるような寸法を有する。便利性のため特に好適な配置は１対のアクセススロット６２を備え、その一方は加熱表面３３の２個の対向端部のそれぞれに位置する。この配置により、新鮮な揮発性キャリヤを一方のアクセススロット６２にて圧入して、消耗した揮発性キャリヤを他方のアクセススロットから押出すことができる。アクセススロット６２のこの配置が第１図および第２図から明かである。
好ましくはアクセススロット６２は充分な狭さであって充分な深さを有すると共に単独プレート３２は使用者の手による単独プレートとの直接的接触が制限されるようアクセススロットに対し位置する。
使用の条件下で、本発明の装置１０はさらに単独プレート３２の加熱表面３３上に位置する揮発性物質を含む。好ましくは揮発性物質は交換自在な関係で加熱表面３３上に位置するキャリヤに支持され、これにより装置１０の揮発性物質はキャリヤの交換により更新することができる。上記しかつアクセススロット６２を有する装置と共に用いられる種類のキャリヤが、ここに規定した本発明の好適実施例である。
好適揮発性物質は昆虫抑制活性成分である。「昆虫抑制活性成分」という用語は、昆虫を駆除し、死滅させ或いは昆虫の活動を阻害しうるような物質を包含すると了解すべきである。その例はピレスロイド類、たとえばピナミンフォルテ、すなわちスミトモ・カンパニーにより販売されるピレスロイドである。
空気処理物質（エアー・リフレッシュナーなどを包含する）として有用な揮発性物質は任意の多くの着香物質を包含する。
好ましくはハウジング４６は熱ボックス４２だけでなく燃料タンク、タンク接続手段１６および上記操作部材の残部をも包封する。この配置を第１〜３図に示す。この種の好適形態のハウジング４６は、たとえばそれぞれ符号６４および６６で示した第１および第２制御ボタンのような制御ボタンを保持するのに便利な構造を与える。好適実施例で示した第１制御ボタン６４は、ガスを所定の一定速度で燃料タンクから圧力調整器１９中に流過させるよう作動する。圧力調整器は、各種の慣用連結によりガス流を制御すると共にしたがって制御ボタン６４の制御下で燃焼ノズル２０における得られる火炎の寸法および熱を制御するのに適し、これは制御可能なボタンの移動により行って調整器１９内の圧力を制御することによりガス流を調整する。好適実施例にて符号６６で示した第２制御ボタンは圧電式着火装置３０を作動させる。勿論、これら特定の制御配置は単に可能な例に過ぎず、本発明はいずれにせよこれらのみに限定されないと了解すべきである。特に、この好適形態のハウジング４６を使用する場合、ハウジングは少なくとも１個の空気取入ダクト６７を備えて新鮮空気源を与えることにより、燃焼ノズル２０の火炎を供給すると共に一般にハウジングを換気する。空気取入ダクト６７は第１図および第３図に最もよく見られる。アクセスカバー６８を設けて、使用者が燃料タンク１４にアクセスして交換することを可能にする。アクセスカバー６８は、慣用のラッチ配置（たとえば第３図に符号７０により示したラッチ）の指圧力付勢によってハウジング４６から交換自在に外すのに適する。
脚部７２をハウジング４６の下に設けて、ハウジングを載置しうる扁平表面の上方にハウジングを上昇させる。この上昇は、ハウジング排気部および空気取入ダクトが図示した実施例にて好適なようにハウジング４６の下側に位置する際に空気が前記ハウジング排気部５６および空気取入ダクト６７中に自由に流過しうるよう確保する。脚部７２は、装置１０の下の温度蓄積を減少させるという利点をさらに与える。
揮発性物質を空気中へ分出する本発明の方法は、火炎を燃焼ノズルにて燃焼させるのに適したガス燃料携帯熱源を設ける工程を含む。この方法はさらに、気化させるべき物質を加熱するための加熱表面を持った単独プレートをも設けることを含む。好ましくは加熱表面は約５０〜２８０℃、より好ましくは約１２５〜２００℃の範囲内の温度に維持することができる。本発明の方法はさらに、熱を燃焼ノズルの火炎から単独プレートまで移動させる熱移動手段を設けることをも含む。さらに工程は熱移動手段と単独プレートとを実質的に包囲する熱ボックスを設けることをも含み、この熱ボックスは熱輻射に耐えうる材料で作成されると共に揮発性物質を熱ボックスから逸散させうる窓を備える。これら工程により火炎が燃焼ノズルに維持されて、単独プレートを加熱すると共に単独プレートの加熱表面上に位置する揮発性物質を気化させる。次いで、気化した物質は加熱ボックス窓を介し逸散して大気中へ分出することができる。
本発明の方法は、好ましくは内部室を規定して内部に熱ボックスをハウジングから離間関係で保持する内部表面を持ったハウジングを設ける工程をも含み、ハウジングは熱ボックス窓に隣接して好ましくは上方で開口したハウジング窓を備える。この工程により、火炎と熱移動手段と単独プレートとの温度に比べ低温に保ちうるハウジングが得られる。本発明のさらに好適な工程は揮発性物質を単独プレートの加熱表面に施すことであり、揮発性物質は昆虫抑制活性成分、空気処理物質およびその組合せ物よりなる群から選択される。好ましくは揮発性物質は昆虫抑制活性成分である。
好ましくは熱移動手段は伝熱性材料で作成されると共に、燃焼ノズルおよび燃焼ノズルで燃焼する火炎を実質的に包封する燃焼室を備え、この燃焼室を伝熱関係にて単独プレートに接続する。好ましくは燃焼室は伝熱室壁部と、室壁部を貫通して延びる少なくとも１個の圧力解除ポートと、燃焼室から火炎が逸散するのを防止すると同時に圧力解除ポートに対する空気の実質的に妨げられない通過を可能にする火炎アレスタとを備える。
好ましくは熱ボックス窓は、単独プレートの加熱表面から熱に耐えるよう充分離間されるが加熱表面から出る揮発性物質がグリル上で凝縮しないよう充分加熱される程度に近接離間した空気伝達性グリルで閉鎖される。
本発明の方法は、単独プレートの加熱表面上に保持されると共にこれにより加熱するのに適した実質的に平面状上のキャリヤにより支持された分出すべき揮発性物質を供給することをさらに含む。さらに、グリルの側部に位置すると共に一般に単独プレートの加熱表面に対し平行かつ少なくとも同レベルに位置する少なくとも１個のアクセススロットを設けることも好適であり、このアクセススロットは揮発性キャリヤを加熱表面上に挿入し或いはアクセススロットを介し取出しうるような寸法を有する。
本発明の装置１０の非金属部分は、便利には慣用の成形技術により適するプラスチックもしくはセラミックで製作することができる。金属部品は慣用方法（たとえば押出し）により作成することができる。上記揮発性キャリヤは、周知される限定しないが単にキャリヤ材料を濡らすことによる各種の含浸技術により分出すべき揮発性物質の溶液を上記キャリヤ材料に当業者に含浸させると共に溶液を乾燥させて作成することができる。
【産業上の利用可能性】
空気中へ揮発性物質を効果的に分出することは、昆虫抑制および悪臭の空気処理および他の目的に工業上応用することができる。本発明による装置１０の携帯性は任意の使用条件下で直ちに適用しうるが、電力を容易には入手しえない野外および他の箇所にて特に貴重である。
以上、本発明の好適実施例につき図面に示すと共に説明したが、当業者には明らかである好適形態における各種の改変も本発明の思想および範囲に包含される。
【図１】
0003834723.tif 000002
【図２】
0003834723.tif 000003
【図３】
0003834723.tif 000004
【図４】
0003834723.tif 000005